(57)【要約】　　　（修正有）【課題】この発明は、車両に乗車するとき、外向きに回転し着座後、前向きに旋回して車両に乗車し、また、反対に前向きから外向きに旋回して車両から容易に乗降を行える車両用座席旋回装置の提供。【解決手段】上面に座席を取付けるシート取付けプレートを、車両の車室の床面に取付けられるベースプレートに軸支されて旋回自在の旋回プレートに軸支し、旋回プレートの旋回で、その旋回プレート共に軸支点を旋回自在であると共に、シート取付けプレートの所定位置に固着した従動用基軸を前記ベースプレートの所定位置に開口したガイド孔に嵌合し、前記シート取付けプレートの旋回角をガイド孔にしたがって従動し、センターコンソール側への迫り出しと、後方への移動を所要に規制してなる車両用座席旋回装置。【選択図】　　　　図１
2004098904.tif 000002
【特許請求の範囲】
【請求項１】
車両に乗車するとき、外向きに回転し着座後、前向きに旋回して車両に乗車し、また、反対に前向きから外向きに旋回して車両から容易に乗降を行える車両用座席旋回装置において、上面に座席を取付けるシート取付けプレートを、車両の車室の床面に取付けられるベースプレートに軸支されて旋回自在の旋回プレートに軸支し、旋回プレートの旋回で、その旋回プレートと共に軸支点を旋回自在であると共に、シート取付けプレートの所定位置に固着した従動用基軸を前記ベースプレートの所定位置に開口したガイド孔に嵌合し、前記シート取付けプレートの旋回角をガイド孔にしたがって従動し、センターコンソール側への迫り出しと、後方への移動を所要に規制してなる車両用座席旋回装置。
【請求項２】
ベースプレートは、上面を平滑な旋回支承面に形成し、所要個数の旋回ローラーで支える旋回プレートを旋回自在に配備してなる請求項１の車両用座席旋回装置。
【請求項３】
シート取付けプレートは、所要径の環状に配列したニードルベアリングを間に挟んで旋回プレートに旋回可能に取付けてなる請求項１または請求項２の車両用座席旋回装置。
【請求項４】
旋回プレートは、下面に半月形ギヤを取付け、ベースプレート側にピニオンギヤを配備し、ベースプレートの下面に取付けたギヤモーターにより前記ピニオンを回転させることで旋回プレートを旋回してなる請求項１、請求項２または請求項３の車両用座席旋回装置。
【請求項５】
車両の車室の床面にベースプレートを取り付け、このベースプレートの前端側にメイン軸受を縦向きに設け、また、前記メイン軸受より後方のドア口側へ平面所要角度の直線上にガイド孔を開口し、また、前記メイン軸受とガイド孔の間に駆動軸軸受を上下に貫通して配備し、前記ベースプレートは、上面を平滑な旋回支承面に形成し、前記メイン軸受に回転自在に貫通するメイン旋回軸の上端に、所要個数の旋回ローラーで支える旋回プレートを固着支持し、メイン旋回軸を中心に旋回自在に配備し、シート取付けプレートを環状に配列したニードルベアリングを間に挟んでサブ旋回軸により前記旋回プレートに旋回可能に取付け、シート取付けプレートに固定した従動用基軸を、前記ベースプレートのガイド孔に差し込み、サブ旋回軸を中心に従動旋回可能に組付け、旋回プレートの下面に半月形ギヤを取付け、ベースプレート側にピニオンギヤを配備し、ベースプレートの下面に取付けたギヤモーターにより前記ピニオンを回転させることで旋回プレートを旋回する車両用座席旋回装置。
【発明の詳細な説明】
【０００１】
【発明が属する技術分野】
この発明は、車両に乗車するとき、外向きに回転し着座後、前向きに旋回して車両に乗車し、また、反対に前向きから外向きに旋回して車両から容易に乗降を行える車両用座席旋回装置に関するものである。
【０００２】
【従来の技術】
従来、車両用座席旋回装置は、ベース板に起立する枢軸を中心に座席を、その乗降時に前向きと、ドア口の横向きに略９０度旋回するものである。
【０００３】
【発明が解決しようとする課題】
前記従来の技術の項で述べたように、座席は、ベース板に起立する枢軸を中心に９０度旋回をするものであり、また、座席は、横幅に比較して前後に長いため、座席の後部の旋回半径が大きく、小型車では、車両幅が狭く、車室中央には、センターコンソールも配置しており、これに旋回時に衝突し、旋回させることができなかった。また、座席の後部に支点を取ってこれを中心に旋回させるときには、センターコンソールに干渉しないようにすることができるが、支点が後部にあるため、ドア口より外に座席を出そうとすると、ドア口の後部側に当り横向きに旋回させることができなかった。
【０００４】
この発明は、かかる欠点を解消し、低価格で販売される小型車に座席の旋回装置を配備させ、高齢者等の乗降時に一層の利便をもたらそうとするものである。
【０００５】
【課題を解決するための手段】
車両に乗車するとき、外向きに回転し着座後、前向きに旋回して車両に乗車し、また、反対に前向きから外向きに旋回して車両から容易に乗降を行える車両用座席旋回装置において、上面に座席を取付けるシート取付けプレートを、車両の車室の床面に取付けられるベースプレートに軸支されて旋回自在の旋回プレートに軸支し、旋回プレートの旋回で、その旋回プレートと共に軸支点を旋回自在であると共に、シート取付けプレートの所定位置に固着した従動用基軸を前記ベースプレートの所定位置に開口したガイド孔に嵌合し、前記シート取付けプレートの旋回角をガイド孔にしたがって従動し、センターコンソール側への迫り出しと、後方への移動を所要に規制してなる車両用座席旋回装置にある。
【０００６】
ベースプレートは、上面を平滑な旋回支承面に形成し、所要個数の旋回ローラーで支える旋回プレートを旋回自在に配備してもよいものである。
【０００７】
シート取付けプレートは、所要径の環状に配列したニードルベアリングを間に挟んで旋回プレートに旋回可能に取付けてもよいものである。
【０００８】
旋回プレートは、下面に半月形ギヤを取付け、ベースプレート側にピニオンギヤを配備し、ベースプレートの下面に取付けたギヤモーターにより前記ピニオンを回転させることで旋回プレートを旋回するようにしてもよいものである。
【０００９】
車両の車室の床面にベースプレートを取付け、このベースプレートの前端側にメイン軸受を縦向きに設け、また、前記メイン軸受より後方のドア口側へ平面所要角度の直線上にガイド孔を開口し、また、前記メイン軸受とガイド孔の間に駆動軸軸受を上下に貫通して配備し、前記ベースプレートは、上面を平滑な旋回支承面に形成し、前記メイン軸受に回転自在に貫通するメイン旋回軸の上端に、所要個数の旋回ローラーで支える旋回プレートを固着支持し、メイン旋回軸を中心に旋回自在に配備し、シート取付けプレートを環状に配列したニードルベアリングを間に挟んでサブ旋回軸により前記旋回プレートに旋回可能に取付け、シート取付けプレートに固定した従動用基軸を、前記ベースプレートのガイド孔に差し込み、サブ旋回軸を中心に従動旋回可能に組付け、旋回プレートの下面に半月形ギヤを取付け、ベースプレート側にピニオンギヤを配備し、ベースプレートの下面に取付けたギヤモーターにより前記ピニオンを回転させることで旋回プレートを旋回する車両用座席旋回装置としてもよいものである。
【００１０】
【発明の実施の形態】
車両の車室の床面にベースプレートを取付け、このベースプレートの前端側にメイン軸受を縦向きに設け、また、前記メイン軸受より後方のドア口側へ平面所要角度の直線上にガイド孔を開口し、また、前記メイン軸受とガイド孔の間に駆動軸軸受を上下に貫通して配備し、前記ベースプレートは、上面を平滑な旋回支承面に形成し、前記メイン軸受に回転自在に貫通するメイン旋回軸の上端に、所要個数の旋回ローラーで支える旋回プレートを固着支持し、メイン旋回軸を中心に旋回自在に配備し、シート取付けプレートを環状に配列したニードルベアリングを間に挟んでサブ旋回軸により前記旋回プレートに旋回可能に取付け、シート取付けプレートに固定した従動用基軸を、前記ベースプレートのガイド孔に差し込み、サブ旋回軸を中心に従動旋回可能に組付け、旋回プレートの下面に半月形ギヤを取付け、ベースプレート側にピニオンギヤを配備し、ベースプレートの下面に取付けたギヤモーターにより前記ピニオンを回転させることで旋回プレートを旋回する車両用座席旋回装置。
【００１１】
【実施例】
以下、この発明の車両用座席旋回装置を実施の一例である図面により説明すると、車両の車室１の床面２において、ベースプレート３を取付け、このベースプレート３の前端側にメイン軸受４を縦向きに設け、また、前記メイン軸受４より後方のドア口５側へ平面４５度の角度の直線上にガイド孔６を開口し、また、前記メイン軸受４とガイド孔６の間に駆動軸軸受７を上下に貫通して配備している。
【００１２】
前記ベースプレート３は、上面を平滑な旋回支承面３ａに形成し、前記メイン軸受４に回転自在に貫通するメイン旋回軸８の上端に、三個の旋回ローラー９、９、９で支える旋回プレート１０を固着支持し、メイン旋回軸８を中心に旋回自在に配備する。
【００１３】
シート取付けプレート１１をニードルベアリング１２を間に挟んでサブ旋回軸１３により前記旋回プレート１０に旋回可能に取付けられている。同時に、シート取付プレート１１に固定した従動用基軸１４を、前記ベースプレート３のガイド孔６に差し込み、サブ旋回軸１３を中心に従動旋回可能に組付けている。
【００１４】
駆動方法としては、旋回プレート１０の下面に半月形ギヤ１５を取付け、ベースプレート３側にピニオンギヤ１６を配備する。
【００１５】
ベースプレート３の下面に取付けたギヤモーター１７により前記ピニオンギヤ１６を回転させることで旋回プレート１０が旋回する。
【００１６】
車内前向きシート位置からドア口の横向きシート位置へ旋回させるには、Ｐ１点を中心に９０度旋回させることになる。
【００１７】
この組付構造により旋回プレート１０を、格納位置（車内シート位置）からドア口５側に９０度旋回すると、シート取付けプレート１１は従動用基軸１４をガイド孔６に沿ってＰ１点からＰ２点に移動し、また、Ｐ２点からＰ１点に戻りながら旋回する。このＰ１点−Ｐ２点の移動旋回により取付けられる座席１８とセンターコンソール１９の干渉が回避できる旋回軌跡を構成することができるのである。
【００１８】
旋回の基軸となるＰ１点をＰ２点方向へ移動させながら旋回させると、シートバックとセンターコンソールの干渉点の旋回軌跡が変わり、外周への膨らみが小さくなり、また、足先のスペースも生じて来る。後方への移動を可及的になくすことができるのである。
【００１９】
前記旋回プレート１０の後部の左側縁と右側縁とに左側押出しカム部１０ａと右側押出しカム部１０ｂとを設け、旋回プレート１０の旋回により対応するシート取付けプレート１１の従動用基軸１４をガイド孔６に沿って押出し、シート取付けプレート１１の旋回作動を補助している。
【００２０】
シート取付けプレート１１の前部および後部の下面に下端が鍔に形成されるストッパー軸２０、２０を垂設し、前記旋回プレート１０の前部の上面に前記ストッパー軸２０、２０と係合する係合溝２１ａおよび２１ｂを形成したストッパー受金２１を取付け、ストッパー軸２０と、ストッパー受金２１を係合してシート取付けプレート１１を固定し、座席が前向き時および外向き時において、その動揺を防止している。
【００２１】
【発明の効果】
この発明の車両用座席旋回装置は、シートバックとセンターコンソールの干渉を回避し、また、旋回時の足先スぺースを確保することができ、さらに、座席を後方移動することなく、前方位置に旋回できる効果があるのである。
【００２２】
よって、この発明の車両用座席旋回装置は、低価格で販売される小型車に座席の旋回装置を配備させ、高齢者等の乗降時に画期的効果を奏するものである。
【図面の簡単な説明】
【図１】この発明の車両用座席旋回装置の座席を含む外観およびその旋回角を示す平面図である。
【図２】同じく、座席を外した状態における装置要部の平面図である。
【図３】同じく、図２の前向きからドア口の横向きに回転した状態を示す装置要部の平面図である。
【図４】同じく、シート取付けプレートのサブ旋回軸で縦断した装置要部の縦断面図である。
【図５】同じく、装置要部の各部の分解斜視図である。
【符号の説明】
１　車室
２　床面
３　ベースプレート
３ａ　旋回支承面
４　メイン軸受
５　ドア口
６　ガイド孔
７　駆動軸軸受
８　メイン旋回軸
９　旋回ローラー
１０　旋回プレート
１０ａ　左側押出しカム部
１０ｂ　右側押出しカム部
１１　シート取付けプレート
１２　ニードルベアリング
１３　サブ旋回軸
１４　従動用基軸
１５　半月ギヤ
１６　ピニオンギヤ
１７　ギヤモーター
１８　座席
１９　センターコンソール
２０　ストッパー軸
２１　ストッパー受金
２１ａ　係合溝
２１ｂ　係合溝
【図１】
2004098904.tif 000003
【図２】
2004098904.tif 000004
【図３】
2004098904.tif 000005
【図４】
2004098904.tif 000006
【図５】
2004098904.tif 000007